(57)【要約】      （修正有）【課題】バックストラップへの装着や取り外しが簡単で、バックストラップを踵部にしっかり保持できるとともに、見た目にもファッション性が高く、アクセサリー感覚で着用することが出来る、バックストラップパンプスに用いるためのバックストラップ用ホルダーを提供する。【解決手段】足首に巻き回して着用するアンクルストラップ２と、アンクルストラップに取り付けられたバックストラップ留め具３とを備え、バックストラップ留め具はバックストラップを着脱可能な係止部４ａ，４ｂにより挟持してアンクルストラップに固定する。【選択図】図２
0003150983.tif 000002
【実用新案登録請求の範囲】
【請求項１】
足首に巻き回して着用するアンクルストラップと、アンクルストラップに取り付けられたバックストラップ留め具とを備え、バックストラップ留め具はバックストラップを着脱可能な係止部により挟持してアンクルストラップに固定することを特徴とする、バックストラップパンプスに用いるバックストラップ用ホルダー
【請求項２】
足首に巻き回して着用するアンクルストラップを挿通するバックストラップ留め具であって、アンクルストラップ挿通部分をアンクルストラップ全体が挿通可能な径とするか着脱可能な係止部材を取り付けてアンクルストラップを挟持するようにして、アンクルストラップへの着脱が容易に出来るようにしたことを特徴とする、バックストラップパンプスのバックストラップをアンクルストラップに固定するための係止部を有するバックストラップ留め具。
【考案の詳細な説明】
【技術分野】
【０００１】
本考案は、踵の部分がストラップ状になっているパンプスやサンダル（以下、「バックストラップパンプス」という）を履いて歩行するときに、ストラップ状になっている履物の踵部分（以下、「バックストラップ」という）が踵から外れないように保持するために着用するバックストラップ用ホルダーに関するものである。なお、バックストラップは、バックベルトあるいはバックバンドという場合もある。
【背景技術】
【０００２】
図４は、バックストラップパンプスの一例を示した斜視図である。図４に示されているように、バックストラップパンプス７は、踵の部分がストラップ状になっている履物で、特にヒールの高いものは足首をすっきりと見せることができ、繊細でほっそりしたイメージを演出できるので、女性には人気のあるデザインである。しかしながら、バックストラップパンプス７は、バックストラップ８のみで履物の踵部分を踵に固定するので、やや保持力に欠けるところがあり、歩いているうちにバックストラップ８がずれ落ちてしまったり、最初は踵にぴったりしていたはずのバックストラップ８が使用しているうちに伸びてしまったりする。そのために、歩行する度に踵が履物の踵部からぱかぱかと浮いたり、履物が脱げそうになるなど、バックストラップパンプス７は、しばしば歩きづらい状態になるという欠点があった。
【０００３】
このような問題を解決するために、パンプスの踵部が足から離脱しないよう足首に固定するためのバックベルト滑り止めが特許文献１に提案されている。このバックベルト滑り止めは、足首に巻きつける一本の紐状のアンクルストラップと、アンクルストラップの略中央部分に取り付けられた輪状の留めゴムから構成されている。
【０００４】
このバックベルト滑り止めをどのようにバックストラップに取り付けるかについては、特許文献１の発明を実施するための最良の形態の欄に詳しい説明はなく、装着過程図（図３）を見ても判然としない。そこで、本願の考案者らは、文献１に開示されているバックベルト滑り止めを試作してバックストラップパンプスのバックストラップに装着してみた。その結果、留めゴムをバックストラップの中心に巻きつけるようにして、留めゴムの両側に伸びているアンクルストラップを先端から留めゴムにくぐらせて末端（すなわち、留めゴムの取り付け個所）まで通すようにして装着することがわかった。
【０００５】
ここで、この留めゴムとアンクルストラップとでバックストラップを固定するには、留めゴムはせいぜいバックストラップの径よりやや大きい程度の輪の大きさでなければならない。しかし、この小さめの留めゴムの輪に両側に伸びた二本のアンクルストラップを通し切るためには、アンクルストラップは柔らかく細い紐状のものである必要がある。アンクルストラップを幅が広い素材や皮などの比較的柔軟性に欠ける素材や凹凸のある素材で作成すると、留めゴムの輪にアンクルストラップを末端まで通し切るのはかなりむずかしい。まして、アンクルストラップの途中にチャーム状の飾りを付けたり、複雑な形状が組み合わされたチェーンや装飾用の大きめのバックルなどを取り付けたアンクルストラップは、通す途中で必ず引っかかるおそれがあり、特許文献１の図４の２番目以下に記載されているデザインは、実用化するのは難しいと思われる。
【先行技術文献】
【特許文献】
【０００６】
【特許文献１】特開２００６−１８７３７０号公報
【考案の概要】
【考案が解決しようとする課題】
【０００７】
本考案は、バックストラップへの装着や取り外しが簡単で、バックストラップを踵部にしっかり保持できるとともに、見た目にもファッション性が高く、アクセサリー感覚で着用することが出来る、バックストラップパンプスに用いるためのバックストラップ用ホルダーを提供することを目的とする。
【課題を解決するための手段】
【０００８】
本考案によるバックストラップパンプスに用いるバックストラップ用ホルダーは、足首に巻き回して着用するアンクルストラップと、アンクルストラップに取り付けられたバックストラップ留め具とを備え、バックストラップ留め具はバックストラップを着脱可能な係止部により挟持してアンクルストラップに固定することを特徴とする。
【０００９】
また、本考案によるバックストラップ留め具は、足首に巻き回して着用するアンクルストラップを挿通するバックストラップ留め具であって、アンクルストラップ挿通部分をアンクルストラップ全体が挿通可能な径とするか着脱可能な係止部材を取り付けてアンクルストラップを挟持するようにして、アンクルストラップへの着脱が容易に出来るようにしたことを特徴とする。
【考案の効果】
【００１０】
本考案によるバックストラップ用ホルダーは、バックストラップへの装着や取り外しが容易であり、しかもバックストラップを踵部分にしっかり保持できるので、バックストラップパンプスを履いて歩行するときに、踵部が浮いたりする歩きづらい状態を解消できる。また、本考案によるバックストラップ用ホルダーは、様々な材質で作成することが出来、装飾物を付加することも容易なので、ファッション性の高い製品とすることが可能である。
【図面の簡単な説明】
【００１１】
【図１】本考案によるバックストラップ用ホルダーの実施の形態を示す図である。
【図２】図１に示すバックストラップ用ホルダーを着用した状態を示す図である。
【図３】バックストラップ用ホルダーの他の実施の形態を示す図である。
【図４】バックストラップパンプスの一例を示す図である。
【考案を実施するための形態】
【００１２】
以下、図面を参照しながら、本考案によるバックストラップ用ホルダーの実施の形態について説明する。図１に示すように、本考案によるバックストラップ用ホルダー１は、足首に巻き回すようにして着用するアンクルストラップ２と、アンクルストラップ２に取り付けられ着脱可能な係止部材４ａ、４ｂによりバックストラップを挟んでアンクルストラップに固定するためのバックストラップ留め具３とから構成されている。
【００１３】
図２は、図１に示したバックストラップ用ホルダー１を着用した状態を示した図である。バックストラップ用ホルダー１は、バックストラップパンプス７のバックストラップ８をバックストラップ留め具３によりアンクルストラップに固定してから、バックストラップパンプスに足を入れ、足首にアンクルストラップ２を巻き回すようにして着用する。
【００１４】
バックストラップ留め具３はベルト状の部材であって、上下に互いに係止可能な係止部材４ａ及び４ｂを取り付けると共に、アンクルストラップ２が挿通可能なように一部を輪状に形成している。係止部材４ａ及び４ｂが踵に接しない側になるようにバックストラップ留め具３の輪状の部分にアンクルストラップ２を挿通することによってバックストラップ留め具３はアンクルストラップ２に取り付けられている。そして、踵に接しない側で、バックストラップ８を間に挟み込むようにして双方の係止部材４ａ及び４ｂを係止してバックストラップ８をアンクルストラップ２に固定するようにしている。図１に示したバックストラップ留め具３は、アンクルストラップ２に一つだけ取り付けられているが、２つあるいは３つなど、複数のストラップ留め具３をアンクルストラップ２に取り付けてもよい。また、図１に示したバックストラップ留め具３は、細いベルト状をしているが、幅を広くしたものでもよい。
【００１５】
バックストラップ留め具３の係止部材４ａ及び４ｂとして、図１に示した実施の形態では、リングスナップを用いているので、バックストラップ留め具３にバックストラップ８を挟んで折り込むようにしながら、先端に取り付けたリング状の係止部材４ｂを、半球状の係止部材４ａに嵌めこむようにしてバックストラップ８を固定する。しかしながら、係止部材４ａ及び４ｂとして、リングスナップの他に様々な部材を利用することが出来る。例えば、あらゆる種類のスナップやホック、ループとボタン、バックルなどを使用することが出来る。また、着脱自在な接着テープを用いてもよい。
【００１６】
アンクルストラップ２は、足首にフィットするように着用出来なければならない。図１に示したアンクルストラップ２は、足首にフィットするように長さを調整するために、バックル兼用のスナップ６ａ及び６ｂを取り付けていて、着用する場合はスナップ留めによるが、長さはバックルにより調整できるようにしている。このようなスナップやバックルを用いずに、アンクルストラップ２をリボンのように前で結ぶようにしてもよい。そうすれば、長さの調整を行わずとも、足首に巻き回すだけで着用出来る。また、アンクルストラップ２を少なくとも一部が弾性体で構成されている輪状の部材で作成してもよく、そのように構成すれば、着用する場合にはアンクルストラップ２に足を差し入れるようにする必要があるが、長さを調整したり、アンクルストラップ２を留めたりする必要がない。
【００１７】
バックストラップ留め具３は、係止部材４ａ及び４ｂを取り付けることが出来て踵部分に当たっても肌にストレスを与えないような部材であれば、どのような材料で作成してもよい。例えば、布、ニット、合成樹脂、皮革や人工皮革やゴムなどを材料として使用することが出来る。なお、バックストラップ留め具３のアンクルストラップ２が挿入されている部分を、アンクルストラップ２全体が挿通可能な大きさの径にしたり、アンクルストラップ２が挿入されている部分についても着脱可能な係止部材によりアンクルストラップ２を挟持するようにすれば、バックストラップ留め具３をアンクルストラップ２から簡単に取り外すことが可能となるので、一つのバックストラップ留め具３に対して、様々なアンクルストラップ２を組み合わせることが可能になる。
【００１８】
また、アンクルストラップ２は、布、ニット、合成樹脂、皮革や人工皮革、ゴム、場合によっては留め金で長さが調整可能なチェーンなど、様々な材料で作成することが可能である。
【００１９】
図１に示したバックストラップ用ホルダー１は、最もシンプルな形態であるが、本考案によるバックストラップ用ホルダー１は、特許文献１で提案されているのとは異なり、アンクルストラップに装飾等を施すのに何ら制限はないので、例えば図３に示すような飾り部分を取付けたり、ファーや造花などをあしらったりするなど、自由にアクセサリー的な要素を高めることが出来る。そのため、バックストラップのずり落ち防止のためばかりでなく、手持ちのバックストラップパンプスをまったく印象の異なるパンプスに見せることが可能となる。
【符号の説明】
【００２０】
１  バックストラップ用ホルダー
２  アンクルストラップ
３  バックストラップ留め具
４ａ、４ｂ  係止部材
６ａ、６ｂ  スナップ
７  バックストラップパンプス
８  バックストラップ
【図１】
0003150983.tif 000003
【図２】
0003150983.tif 000004
【図３】
0003150983.tif 000005
【図４】
0003150983.tif 000006